(57)【要約】【課題】厚さ寸法が多種に及ぶ天板のテレビ台に対応することができて、表示装置を十分な強度でテレビ台に連結でき、しかも天板の後端部側が閉鎖されているタイプのテレビ台にも使用できるテレビ受信機の表示装置用連結具を提供する。【解決手段】天板３０の後端部側から嵌め、上側水平部５ｂと下側水平部１５ｂとによって天板３０を挟持する。蝶ネジ２１ａ、２１ｂを長穴１７ａ、１７ｂへ挿入し、ネジ穴９ａ、９ｂに緩く螺合した状態で、蝶ネジ２１ａ、２１ｂが長穴１７ａ、１７ｂの上端部または下端部に当たるまでは、上側挟持部材５と下側挟持部材１５は上下動できる。即ち、上側水平部５ｂと下側水平部１５ｂとの距離を変えることができるので、厚さ寸法の異なる天板を挟持することが可能である。【選択図】        図１
0003128629.tif 000002
【実用新案登録請求の範囲】
【請求項１】
テレビ受信機の表示装置に一端部が連結される紐状体と、ほぼ直角に曲がる形状で上側垂直部と上側水平部とが一体に形成されて成る上側挟持部材と、前記上側垂直部に設けられ前記紐状体の他端部を連結できる紐状体連結手段と、前記上側垂直部に形成された挿入穴と、ほぼ直角に曲がる形状で下側垂直部と下側水平部とが一体に形成されて成る下側挟持部材と、前記下側垂直部に形成された上下方向へ長い第１長穴と、前記下側水平部に形成され前後方向へ長く、且つ第１長穴とは長さが異なる第２長穴と、前記挿入穴と、第１長穴または第２長穴に挿入されて上側挟持部材と下側挟持部材とを連結する連結手段とから成ることを特徴とするテレビ受信機の表示装置用連結具。
【請求項２】
請求項１に記載したテレビ受信機の表示装置用連結具において、上側挟持部材を壁等に固定するための固定手段を備えたことを特徴とするテレビ受信機の表示装置用連結具。
【請求項３】
請求項１または２に記載したテレビ受信機の表示装置用連結具において、紐状体の一端部は途中部分から分岐していることを特徴とするテレビ受信機の表示装置用連結具。
【考案の詳細な説明】
【技術分野】
【０００１】
本考案はテレビ受信機の表示装置用連結具に係り、特にテレビ受信機の表示装置をテレビ台の天板等に連結するテレビ受信機の表示装置用連結具に関するものである。
【背景技術】
【０００２】
近年、液晶テレビやプラズマテレビといった、薄型で大画面の表示装置を有するテレビ受信機が広く出回っている。この種の表示装置は通常テレビ台上に設置される。地震時等において表示装置が倒れないように連結する手段としては、プラスチック製のバンドの一端を表示装置に固定し、他端をテレビ台の天板に直接ネジ止めして固定している。
【考案の開示】
【考案が解決しようとする課題】
【０００３】
しかしながら、上記の従来の連結手段では、プラスチック製のバンドを天板に直接ネジ止めしているので、表示装置を強固に連結することができないという問題がある。特に液晶テレビ等の表示装置は大型化してため、重量の大きなものもあり、プラスチック製のバンドを用いる連結では極めて不十分である。
また、連結強度の大きい連結金具として天板の端部に嵌合させて取り付けるものもあるが、テレビ台の天板の厚さ寸法がまちまちであるため一種類の連結具では対応することができないという問題がある。更に天板の端部に嵌合させて取り付ける連結具では天板の後端部側が閉鎖されているテレビ台には使用できないという問題がある。
【０００４】
本考案は上記従来の問題点に着目して為されたものであり、一種類で厚さ寸法が異なる天板のテレビ台に対応することができて、表示装置を十分な強度でテレビ台に連結でき、しかも天板の後端部側が閉鎖されているテレビ台にも使用できるテレビ受信機の表示装置用連結具を提供することを、その目的とする。
【課題を解決するための手段】
【０００５】
本考案は上記課題を解決するためになされたものであり、請求項１の考案は、テレビ受信機の表示装置に一端部が連結される紐状体と、ほぼ直角に曲がる形状で上側垂直部と上側水平部とが一体に形成されて成る上側挟持部材と、前記上側垂直部に設けられ前記紐状体の他端部を連結できる紐状体連結手段と、前記上側垂直部に形成された挿入穴と、ほぼ直角に曲がる形状で下側垂直部と下側水平部とが一体に形成されて成る下側挟持部材と、前記下側垂直部に形成された上下方向へ長い第１長穴と、前記下側水平部に形成され前後方向へ長く、且つ第１長穴とは長さが異なる第２長穴と、前記挿入穴と、第１長穴または第２長穴に挿入されて上側挟持部材と下側挟持部材とを連結する連結手段とから成ることを特徴とするテレビ受信機の表示装置用連結具である。
【０００６】
請求項２の考案は、請求項１に記載したテレビ受信機の表示装置用連結具において、上側挟持部材を壁等に固定するための固定手段を備えたことを特徴とするテレビ受信機の表示装置用連結具である。
【０００７】
請求項３の考案は、請求項１または２に記載したテレビ受信機の表示装置用連結具において、紐状体の一端部は途中部分から分岐していることを特徴とするテレビ受信機の表示装置用連結具である。
【考案の効果】
【０００８】
本考案のテレビ受信機の表示装置用連結具によれば、一種類で厚さ寸法が異なる天板のテレビ台に対応することができて、表示装置を十分な強度でテレビ台に連結できる。
また、天板の後端部側が閉鎖されているテレビ台にも使用することができる。
【考案を実施するための最良の形態】
【０００９】
本考案の実施の形態に係るテレビ受信機の表示装置用連結具１を図面にしたがって説明する。
符号３は紐状体としてのワイヤを示し、このワイヤ３は途中部分から二股に分かれている。ワイヤ３の二股に分かれた一端部には輪３ａが形成されている。
符号５は鋼板製の上側挟持部材を示し、この上側挟持部材５はほぼ直角に曲がる形状に形成されており、上側垂直部５ａと上側水平部５ｂとから成る。
【００１０】
上側垂直部の上端部には紐状体連結手段としてのワイヤ連結具７が備えられており、このワイヤ連結具７にはワイヤ挿通穴７ａが設けられている。ワイヤ挿通穴７ａの前側から挿通したワイヤ３は進行方向（Ａ方向）へは動作できるが、後退方向（Ｂ方向）へは動作できない状態にロックされて、このロックはパイプ部７ｂを引くと解除されるようになっている。
【００１１】
上側垂直部５ａの下端部には挿入穴としての左右方向に並んだ一対のネジ穴９ａ、９ｂが形成されている。
上側水平部５ｂには４つの穴１１ａ、１１ｂ、１１ｃ、１１ｄが形成されている。
【００１２】
符号１５は鋼板製の下側挟持部材を示し、この下側挟持部材１５はほぼ直角に曲がる形状に形成されており、下側垂直部１５ａと下側水平部１５ｂとから成る。下側水平部１５ｂは下側垂直部１５ａより短い寸法に形成されている。下側垂直部１５ａと下側水平部１５ｂの境界部分には角部１５ｃが形成されている。
【００１３】
下側垂直部１５ａには上下方向へ長い一対の第１長穴としての長穴１７ａ、１７ｂが形成されている。また下側水平部１５ｂには前後方向へ長い第２長穴としての長穴１９ａ、１９ｂが形成されている。長穴１９ａ、１９ｂは長穴１７ａ、１７ｂより短い寸法に形成されている。長穴１９ａ、１９ｂの角部１５ｃ側の端部と角部１５ｃまでの距離は、長穴１７ａ、１７ｂの角部１５ｃ側の端部と角部１５ｃまでの距離より小さく設定されている。
蝶ネジ２１ａ、２１ｂには座金２３ａ、２３ｂが嵌められる。蝶ネジ２１ａ、２１ｂとネジ穴９ａ、９ｂとによって連結手段が構成されている。
【００１４】
次に、このテレビ受信機の表示装置用連結具１の使用方法について説明する。
まず、テレビ受信機の表示装置２５をテレビ台２８に連結する場合を説明する。テレビ台２８の後端部側は開放されており、後述するように天板３０の後端部に上側挟持部材５と下側挟持部材１５を嵌めることができるようになっている。
上側垂直部５ａと下側垂直部１５ａを、上側垂直部５ａが前側にくるように重ね合わせて、長穴１７ａ、１７ｂとネジ穴９ａ、９ｂとを対応させる。そして、座金２３ａ、２３ｂを嵌めた蝶ネジ２１ａ、２１ｂを長穴１７ａ、１７ｂへ挿入し、ネジ穴９ａ、９ｂに緩く螺合して、上側挟持部材５と下側挟持部材１５が相対的に長穴１７ａ、１７ｂの延びる方向へ上下に動くようにしておく。また、上側水平部５ｂの下面にはウレタン系合成樹脂から成る粘着シート２６を貼っておく。
【００１５】
このようにして上側挟持部材５と下側挟持部材１５を蝶ネジ２１ａ、２１ｂによって組み合わせたものを、図３に拡大して示すように天板３０の後端部側から嵌め、中央部分に位置させる。そして、下側水平部１５ｂの底面を押えながら、上側水平部５ｂを押し、粘着シート２６を介して天板３０の上面に押し付けて、上側水平部５ｂと下側水平部１５ｂとによって天板３０を挟持する。この状態で蝶ネジ２１ａ、２１ｂを締め付ける。これにより上側挟持部材５と下側挟持部材１５を天板３０に固定する。
【００１６】
上記のように蝶ネジ２１ａ、２１ｂを長穴１７ａ、１７ｂへ挿入し、ネジ穴９ａ、９ｂに緩く螺合した状態で、蝶ネジ２１ａ、２１ｂが長穴１７ａ、１７ｂの上端部または下端部に当たるまでは、上側挟持部材５と下側挟持部材１５は上下動できる。即ち、上側水平部５ｂと下側水平部１５ｂとの距離を変えることができるので、厚さ寸法の異なる天板を挟持することが可能である。
【００１７】
一方、ワイヤ３の輪３ａに座金２７をそれぞれ嵌めた取付ネジ２９を表示装置２５の裏面のネジ穴に螺合して、二股に分岐したワイヤ３の一端部を表示装置２５に連結する。そして、ワイヤ３の他端部をワイヤ連結具７のワイヤ挿通穴７ａに挿通し、ワイヤ３が引き張られる状態となるまで、ワイヤ３を進行方向（Ａ方向）へ引っ張る。ワイヤ連結具７は、ワイヤ挿通穴７ａへ挿通されたワイヤ３が後退方向（Ｂ方向）へは動作できない状態にロックするようになっているので、ワイヤ３は引き張られたままの状態でロックされる。
このように表示装置２５はワイヤ３を介してテレビ台２８に固定された上側挟持部材５に取り付けられる。これにより地震時等において表示装置２５が前方側へ倒れるのを防止することができる。
【００１８】
次に、厚さ寸法のかなり小さい天板３１に上側挟持部材５と下側挟持部材１５を固定する場合を説明する。
上側垂直部５ａと下側水平部１５ｂとを、上側垂直部５ａが前側にくるように重ね合わせて、長穴１９ａ、１９ｂとネジ穴９ａ、９ｂとを対応させる。その他の固定方法は上記した天板３０に上側挟持部材５と下側挟持部材１５を固定する場合と同様である。
【００１９】
既述のように、長穴１９ａ、１９ｂの角部１５ｃ側の端部と角部１５ｃまでの距離は、長穴１７ａ、１７ｂの角部１５ｃ側の端部と角部１５ｃまでの距離より小さく設定されている。従って、上側垂直部５ａと下側水平部１５ｂとの距離を、上側垂直部５ａと下側垂直部１５ａとの距離よりも小さくすることが可能となる。従って、天板３０より厚さ寸法がかなり小さい天板３１を上側垂直部５ａと下側水平部１５ｂによって挟持することができ、テレビ受信機の表示装置用連結具１は薄型の天板３１にも対応することができる。
【００２０】
図５、図６に壁３５にワイヤ３の他端部側を連結する場合を示す。
この場合には下側支持部材１５は使用せず、上側支持部材５のみを使用する。上側支持部材５の穴１１ａ、１１ｂ、１１ｃ、１１ｄに木ネジ３７を挿通して、この壁３５にねじ込んで、上側支持部材５を壁３５に固定する。ワイヤ３の取り付け方法は前記した方法と同様である。
穴１１ａ、１１ｂ、１１ｃ、１１ｄと木ネジ３７とによって固定手段が構成されている。
【００２１】
図７に他の実施の形態に係るテレビ受信機の表示装置用連結具４１を示す。
この表示装置用連結具４１は大型の表示装置３３を大型のテレビ台３８に連結する場合に用いるものであり、ワイヤ４３の一端部が上記ワイヤ３と異なり二股になっていない点を除き、上記実施の形態に係るテレビ受信機の表示装置用連結具１と同じ構成を有している。従って、上記実施の形態と同様の構成部分については、実施の形態１と同じ符号を付して、その説明を省略する。
表示装置用連結具４１は例えば２つ用い、大型の表示装置３３の裏面の左右部分に輪４３ａに挿通した取付ネジ２９によって、ワイヤ４３をそれぞれ連結する。
このように複数の表示装置用連結具４１を用いることで重量のある大型の表示装置３３を安全に連結することが可能となる。
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では連結手段を蝶ネジ２１ａ、２１ｂとネジ穴９ａ、９ｂとによって構成したが、連結手段をボルトとナット等によって構成してもよい。
【００２３】
また、ワイヤは三股以上に分かれる構成としてもよく、更に表示装置のサイズに対応するために長さ寸法を適宜変更する。
粘着シート２６を使用しないことも可能である。
なお、他の実施例に係るテレビ受信機の表示装置用連結具４１は、表示装置の大きさに合わせて３つ以上用いてもよいのは勿論である。
【産業上の利用可能性】
【００２４】
本考案のテレビ受信機の表示装置用連結具は、液晶テレビやプラズマテレビ等の表示装置、特に大型の表示装置を連結するのに利用することが可能である。
【図面の簡単な説明】
【００２５】
【図１】本考案の実施の形態に係るテレビ受信機の表示装置用連結具の分解斜視図である。
【図２】図１のテレビ受信機の表示装置用連結具を用いてテレビ受信機の表示装置をテレビ台に連結した状態を示す斜視図である。
【図３】図１のテレビ受信機の表示装置用連結具の上側挟持部材と下側挟持部材を厚さ寸法の大きいテレビ台の天板に固定した状態の斜視図である。
【図４】図１のテレビ受信機の表示装置用連結具の上側挟持部材と下側挟持部材を厚さ寸法の小さいテレビ台の天板に固定した状態の斜視図である。
【図５】図１のテレビ受信機の表示装置用連結具を用いてワイヤの他端側を壁に連結した状態の部分斜視図である。
【図６】図１のテレビ受信機の表示装置用連結具を用いてワイヤの他端側を壁に連結した状態の側面図である。
【図７】他の実施の形態に係るテレビ受信機の表示装置用連結具を用いて大型の表示装置をテレビ台に連結した状態の背面図である。
【符号の説明】
【００２６】
１、４１  テレビ受信機の表示装置用連結具      ３、４３  ワイヤ
５  上側挟持部材      ５ａ  上側垂直部      ５ｂ  上側水平部
７  ワイヤ連結具      ９ａ、９ｂ  ネジ穴
１５  下側挟持部材      １５ａ  下側垂直部      １５ｂ  下側水平部
１７ａ、１７ｂ  長穴      １９ａ、１９ｂ  長穴
２１ａ、２１ｂ  蝶ネジ      ２５  表示装置      ２８  テレビ台
３０  テレビ台の天板      ３３  大型の表示装置
３８  大型の表示装置用のテレビ台
【図１】
0003128629.tif 000003
【図２】
0003128629.tif 000004
【図３】
0003128629.tif 000005
【図４】
0003128629.tif 000006
【図５】
0003128629.tif 000007
【図６】
0003128629.tif 000008
【図７】
0003128629.tif 000009